(57)【特許請求の範囲】
【請求項１】
背もたれのリクライニング動作とフットレストの回動機構を連動させる連係機構を設け、該連係機構により、背もたれを倒す動作に連動してフットレストを持ち上げ、背もたれを起こす動作に連動してフットレストを収納するようにしたものにおいて、前記連係機構の連係を解除する解除手段と、解除された連係を背もたれを起こす動作のみにより連動して自動復帰させる復帰手段を備えたフットレスト付き椅子。
【請求項２】
前記連係機構を構成するリンクレバーの一つを２分割し、この２分割した各々のリンクレバーを連結軸により回動自在に連結し、通常使用時は、両リンクレバーが一直線状になるように一体化保持する保持手段を有し、前記解除手段により、保持手段の保持を解除するようにした請求項１記載のフットレスト付き椅子。
【請求項３】
前記保持手段として、前記分割された一方のリンクレバーに、一直線状になった他方のリンクレバーと係合する保持レバーを設け、該保持レバーを操作して前記係合を解除することにより、両リンクレバーの一体化を解除するようにした請求項２記載のフットレスト付き椅子。
【請求項４】
前記一体化を解除された両リンクレバーは、背もたれの起きる動作に連動して一直線状に復帰し、更に一方のリンクレバーに設けた前記保持レバーが他方のリンクレバーに自動的に係合するようにした請求項３記載のフットレスト付き椅子。
【請求項５】
前記保持レバーを常時他方のリンクレバーと係合する方向に付勢する付勢手段を設けてなる請求項３又は請求項４記載のフットレスト付き椅子。
【発明の詳細な説明】
【０００１】
【発明の属する技術分野】
本発明は、フットレストを備え且つ背もたれを起倒させるリクライニング機構を有する椅子で、背もたれのリクライニング動作とフットレストの回動機構を連動させ、背もたれを倒す動作に連動してフットレストを持ち上げ、背もたれを起こす動作に連動してフットレストを収納するようにしたものに関する。
【０００２】
【従来の技術】
図１１乃至図１４に基づいて、従来の背もたれのリクライニング動作とフットレストの回動機構を連動させ、背もたれを倒す動作に連動してフットレストを持ち上げ、背もたれを起こす動作に連動してフットレストを収納するようにした椅子の構成を説明する。
【０００３】
１は座部の骨組みとなる座部フレーム（以下座部と称する）で、ベースフレーム２上に立設された支柱フレーム３上に支持されている。座部１の後方には背もたれの骨組みとなる背もたれフレーム（以下背もたれと称する）４が軸５を支点として回動自在に軸支され、また、座部１の前端には、フットレストの骨組みとなるフットレストフレーム（以下フットレストと称する）６が軸７により回動自在に軸支されている。これら座部１、背もたれ４、フットレスト６はクッション５０で覆われている。
【０００４】
背もたれ４の下端と座部１の前方下面間は、背もたれ４を起倒させるリクライニング機構８が装備されている。リクライニング機構８は、ケース９とケース９内をモータ１０により移動するロッド１１で構成され、ケース９の一端が背もたれ４の下端に軸１２にて連結され、ロッド１１の一端が座部１に軸１３にて連結され、ロッド１１がケース９内へ収納される方向に動くことにより、背もたれ４が倒れ、ロッド１１が逆方向に移動することにより背もたれ４は起きる。
【０００５】
座部１の下面には支持フレーム１４が固定され、この支持フレーム１４には、操作レバー１５が回動自在に支持され、この操作レバー１５の軸１６にリンクレバー１７の一端が固定され、リンクレバー１７の他端には、リンクレバー１８の一端が軸１９により枢支され、このリンクレバー１８の他端が軸２０によりフットレスト６に枢支されている。
【０００６】
背もたれ４の下端には、更にリンクレバー２４の一端が軸５１にて枢支され、このリンクレバー２４の他端にリンクレバー２５の一端が軸２６にて連結され、このリンクレバー２５の他端部が前記操作レバー１５の軸１６に枢支され、またリンクレバー１７に押し上げローラ２７が回転自在に軸支されている。
【０００７】
そして、背もたれ４が起きた状態では図１１のようにリンクレバー２５と押し上げローラ２７は離れているが、リクライニング機構８により背もたれ４を倒してゆくと、リンクレバー２５が軸１６を中心に反時計方向に回転して押し上げローラ２７を押し、その結果リンクレバー１７が回動し、リンクレバー１８を介してフットレスト６を持ち上げてゆく。図１２は、背もたれ４が最も倒れた状態を示す。反対に背もたれ４が起きてくるとフットレスト６は図１１の状態に戻る。
【０００８】
ここで、リンクレバー２４や２５及び押し上げローラ２７が、背もたれ４のリクライニング動作とフットレスト６の回動機構を連動させる連係機構となる。
【０００９】
なお、フットレスト６は、操作レバー１５により背もたれ４の起倒動作に関係なく回動操作できる。即ち、操作レバー１５を反時計方向に回動することにより、背もたれ４に関係なく持ち上げられてゆく。そして、前記両リンクレバー１７、１８を連結する軸１９が、前記操作レバー１５の軸１６とリンクレバー１８の他端軸２０とを結ぶ線より上方へくると、フットレスト６は時計方向に回動しようとし、この動きによって、図１３の如くリンクレバー１８の背面部３０がリンクレバー１７の他端部に形成された切り欠き２３に当接して、フットレスト６をこの位置にてセルフロック（自己ロック）する。
【００１０】
ところで、このような椅子を梱包する場合、背もたれ４が起きた状態では高さが高くなるので、背もたれ４を倒して梱包するのであるが、そうするとフットレスト６が図１２のように持ち上げられるので、横幅が長くなってしまう。
【００１１】
そこで、従来では、リンクレバー２４の一端と背もたれ４との連結部である軸５１外して、図１４のようにリンクレバー２４を下に降ろし、フットレスト６を持ち上げていた支えを外し、フットレスト６を図のように収納状体にして梱包していた。
【００１２】
そのため、この軸５１を外すのに工具が必要で手間がかかり、また梱包から取り出して椅子を使用する際には、この取り外されたリンクレバー２４を背もたれ４に連結しなければならず、大変面倒なものであった。
【００１３】
【発明が解決しようとする課題】
本発明は、背もたれを倒した状態で簡単にフットレストを収納状態にできるようにして、コンパクトな梱包が容易にできるようにすると共に、開梱して使用するにあたっても、背もたれを起こすだけで通常の使用可能な状態に戻ることができるようにして、何ら特別の操作を必要としない極めて使用性の優れたフットレスト付き椅子を提供することを課題とする。
【００１４】
【課題を解決するための手段】
本発明は、背もたれのリクライニング動作とフットレストの回動機構を連動させる連係機構を設け、この連係機構により、背もたれを倒す動作に連動してフットレストを持ち上げ、背もたれを起こす動作に連動してフットレストを収納するようにした椅子で、前記連係機構の連係を解除する解除手段と、解除された連係を背もたれを起こす動作のみにより連動して自動復帰させる復帰手段を備えたものである。
【００１５】
かかる構成により、背もたれを倒した状態で、解除手段により連係機構の連係を解除することにより、フットレストを収納状態にすることができる。また、背もたれを起こすだけで、復帰手段により解除された連係機構が元の状態に自動的に復帰するので、特別の操作をせずとも椅子は使用可能になる。
【００１６】
詳述すると、前記連係機構を構成するリンクレバーの一つを２分割し、この２分割した各々のリンクレバーを連結軸により回動自在に連結し、通常使用時は、両リンクレバーが一直線状になるように一体化保持する保持手段を有し、前記解除手段により、保持手段の保持を解除するようにしたものである。
【００１７】
かかる構成により、背もたれを倒した状態で保持手段の保持を解除手段によって解除することにより、各々のリンクレバーは連結軸を中心として折れ曲がり、連係機構としての機能を有さなくなり、フットレストは収納状態になる。
【００１８】
また、前記保持手段として、前記分割された一方のリンクレバーに、一直線状になった他方のリンクレバーと係合する保持レバーを設け、この保持レバーを操作して前記係合を解除することにより、両リンクレバーの一体化を解除するようにする。かかる構成にすれば、保持手段と解除手段は、一つの保持レバーで兼用できる。
【００１９】
また、前記一体化を解除された両リンクレバーは、背もたれの起きる動作に連動して一直線状に復帰し、更に一方のリンクレバーに設けた前記保持レバーが他方のリンクレバーに自動的に係合するようにしたものである。かかる構成により、何ら特別の操作をしなくとも、椅子は通常の使用可能な状態に戻る。
【００２０】
また、前記保持レバーを常時他方のリンクレバーと係合する方向に付勢する付勢手段を設けたものである。かかる構成により、保持レバーによる両リンクレバーの一体化の保持と、一体化を解除された両リンクレバーが背もたれを起こす動作に連動して復帰する復帰動作を確実に行うことができる。
【００２１】
【発明の実施の形態】
本発明の実施例を図１乃至図９に基づき説明するが、従来と同様のものは、同一符号を付して説明は省略する。
【００２２】
本発明では、背もたれ４の動作とフットレスト６の動作を連動させる連係機構を構成するリンクレバー２４，２５の内の一つのリンクレバー２４を２分割２４Ａ、２４Ｂし、各々のリンクレバー２４Ａ、２４Ｂを連結軸３１により回動自在に連結したものである。両リンクレバー２４Ａ、２４Ｂは横断面形状がコ字型をしており、一方のリンクレバー２４Ａはコ字型の開放面が上方になるように配設され、他方のリンクレバー２４Ｂはコ字型の開放面が下方になるように配設されている。
【００２３】
前記一方のリンクレバー２４Ａの連結軸３１の近傍の一側面には、図５に示すように横長のスリット３２が形成され、このスリット３２と対面する他側面には、図４に示すように保持レバー３３の一端部３４が枢着され、この保持レバー３３の先端は、スリット３２より突出している。この突出した部分を持って、保持レバー３３を一端部３４を支点としてスリット３２に沿って左右に揺動させることができる。
【００２４】
保持レバー３３の一端部３４は、図１０に示すように、リンクレバー２４Ａの他側面に設けた穴３５より突出し、この突出した部分には雄ネジ３６が螺設され、この雄ネジ３６にワッシャー３７を介してナット３８を締め付けることにより、この一端部３４を支点として保持レバー３３は左右に揺動する構成になっている。
【００２５】
また保持レバー３３の中央部にはワッシャー３９が取り付けられ、このワッシャー３９とリンクレバー２４Ａの他側面との間には、コイルスプリング４０が介在されている。このコイルスプリング４０は、保持レバー３３をリンクレバー２４Ａに対して直角になるように付勢している。
【００２６】
他方のリンクレバー２４Ｂの一側面の連結軸３１寄りの先端部には、図８に示すような切り欠き凹部４１が形成されている。また一側面先端の前記凹部４１と隣接する面は円弧面４２となっている。
【００２７】
また一方のリンクレバー２４Ａの背もたれ４との連結部である軸５１の周囲にはトグルバネ４３が巻装されている。このトグルバネ４３は、リンクレバー２４Ａに図８において軸５１を中心に時計方向の回転力を与えるものである。
【００２８】
通常の使用状態においては、図４や図５に示すように、両リンクレバー２４Ａ、２４Ｂは一直線状になり、前記凹部４１に保持レバー３３の側面が係合している。この係合は、前記コイルスプリング４０が保持レバー３３をリンクレバー２４Ａに対して直角になるように付勢していることや、トグルバネ４３でリンクレバー２４Ａが時計方向に付勢されることで、保持レバー３３が凹部４１に強く係合することによって外れることはなく、つまり両リンクレバー２４Ａ、２４Ｂは一直線状に一体化されたものとなっている。
【００２９】
従ってこの状態では一体化されたリンクレバー２４Ａ、２４Ｂは従来のリンクレバー２４と同じ働きをする。図３は背もたれ４が起きた状態を示し、図２は背もたれ４が倒れた状態を示す。
【００３０】
ここで、保持レバー３３やコイルスプリング４０や凹部４１は、通常使用時に、両リンクレバー２４Ａ、２４Ｂが一直線状になるように一体化保持する保持手段を構成する。また、コイルスプリング４０が請求項５でいうところの付勢手段となる。
【００３１】
図２のように背もたれ４が倒れた状態において、保持レバー３３の先端突出部を図６に示すようにスリット３２に沿って左側へ揺動させると、上述の保持レバー３３と凹部４１の係合が外れ、両リンクレバー２４Ａ、２４Ｂの一体化が解除される。その結果、図１のように、フットレスト６を持ち上げた状態で支えることができなくなり、両リンクレバー２４Ａ、２４Ｂは、連結軸３１を中心にヘの字状に折れ曲がり、フットレスト６は収納状態になる。
【００３２】
従って、梱包する際は、このように背もたれ４を倒した状態で、保持レバー３３を揺動操作するだけで、フットレスト６を収納状態にすることができ、簡単な操作でコンパクトな梱包が可能になる。
【００３３】
ここで、前記保持レバー３３が、背もたれ４のリクライニング動作とフットレスト６の回動機構を連動させる連係機構の連係を解除する解除手段となる。即ち保持レバー３３は保持手段でもあり解除手段でもある。
【００３４】
次に梱包状態から開梱して椅子を使用する際について説明する。背もたれ４を起こすと、リンクレバー２４Ａはトグルバネ４３を介して時計方向に回動し始め、両リンクレバー２４Ａ、２４Ｂのなす角度が徐々に小さくなり、やがて、保持レバー３３の側面がリンクレバー２４Ｂの円弧面４２に当たり、保持レバー３３はコイルスプリング４０に抗して左側へ退避しながら円弧面４２に沿って移動し、凹部４１に対応する位置まで回動されたとき（両リンクレバー２４Ａ、２４Ｂが一直線状になったとき）、コイルスプリング４０の付勢力やトグルバネ４３の付勢力によって、凹部４１に自動的に係合する。そして、両リンクレバー２４Ａ、２４Ｂを一直線状に一体化保持する。
【００３５】
従って、使用に際しては、何ら特別の操作をしなくても自動的に使用可能な状態に復帰する。
【００３６】
ここで、トグルバネ４３やコイルスプリング４０や円弧面４２が、背もたれ４のリクライニング動作とフットレスト６の回動機構を連動させる連係機構の解除状態を、背もたれを起こす動作に連動して自動復帰させる復帰手段の構成要素となる。
【００３７】
【発明の効果】
本発明によれば、背もたれのリクライニング動作とフットレストの回動機構を連動させる連係機構の連係を解除する解除手段と、解除された連係を背もたれを起こす動作に連動して自動復帰させる復帰手段を備えたので、梱包する際は、背もたれを倒した状態で、解除手段により連係機構の連係を解除することにより、フットレストを収納状態にすることができ、簡単な操作でコンパクトな梱包が可能になる。また、開梱して使用するに際しては、背もたれを起こすだけで復帰手段により解除された連係機構が元の状態に自動的に復帰し、使用可能な状態に戻すことができるので、何ら特別の操作を必要としないため極めて使用性の優れたものとなる。
【図面の簡単な説明】
【図１】本発明の椅子の梱包する際の側面図である。
【図２】同椅子の通常使用状態における背もたれを最も倒した状態の側面図である。
【図３】同椅子の通常使用状態における背もたれを起こした状態の側面図である。
【図４】本発明の連係機構を構成するリンクレバーの通常使用状態における平面図である。
【図５】同状態のリンクレバーの側面図である。
【図６】本発明の連係機構を構成するリンクレバーの一体化を解除する際の平面図である。
【図７】同状態のリンクレバーの側面図である。
【図８】本発明の椅子の連係機構の連係を解除した状態の要部拡大側面図である。
【図９】同椅子の連係機構の連係が復帰したときの要部拡大側面図である。
【図１０】本発明の保持レバーの取付状態を示す要部拡大断面図である。
【図１１】従来の椅子の背もたれが起きている状態の側面図である。
【図１２】同椅子の背もたれを倒した状態の側面図である。
【図１３】同椅子のフットレストを操作レバーで最も持ち上げてセルフロックしている状態の側面図である。
【図１４】同椅子の梱包する際の側面図である。
【符号の説明】
４      背もたれ
８      リクライニング機構
６      フットレスト
１７      リンクレバー
１８      リンクレバー
２４      リンクレバー
２４Ａ    一方のリンクレバー
２４Ｂ    他方のリンクレバー
２５      リンクレバー
２７      押し上げローラ
３３      保持レバー
３１      連結軸
４０      コイルスプリング
４１      凹部
４２      円弧面
４３      トグルバネ
【図１】
0003579284.tif 000002
【図２】
0003579284.tif 000003
【図３】
0003579284.tif 000004
【図４】
0003579284.tif 000005
【図５】
0003579284.tif 000006
【図６】
0003579284.tif 000007
【図７】
0003579284.tif 000008
【図８】
0003579284.tif 000009
【図９】
0003579284.tif 000010
【図１０】
0003579284.tif 000011
【図１１】
0003579284.tif 000012
【図１２】
0003579284.tif 000013
【図１３】
0003579284.tif 000014
【図１４】
0003579284.tif 000015